(57)【特許請求の範囲】
【請求項１】
円筒状でなり回転可能に設けられると共に、外部から入出部を介し供給される紙葉状の媒体をテープと重ねて周側面に巻き付けるドラムと、
上記入出部において上記媒体が搬送される搬送路を挟んで対向する可動アッパガイドと可動ロアガイドとから構成され、上記入出部近傍を一端とし他端が上記ドラム近傍まで伸び、上記媒体の上記入出部から上記ドラムまでの搬送をガイドすると共に上記ドラムの外径に追従して上記可動アッパガイドと上記可動ロアガイドとが一体的に回動する可動ガイドと
を有する媒体処理装置。
【請求項２】
上記可動ガイドは、上記媒体が最も多く巻き付いた状態の上記ドラムの周側面よりも当該ドラムから離隔して位置し上記可動アッパガイドと上記可動ロアガイドとの共通の中心軸である回動中心軸を中心として回動する
請求項１に記載の媒体処理装置。
【請求項３】
上記可動ガイドにおいて上記ドラムと対向する箇所には、上記ドラムの周側面と接する接触部が設けられている
請求項１に記載の媒体処理装置。
【請求項４】
上記接触部は、円筒状でなり回転可能なローラである
請求項３に記載の媒体処理装置。
【請求項５】
円筒状でなり上記可動ガイドに取り付けられ上記媒体を搬送する搬送ローラが当該媒体に接触する位置と、上記接触部が上記ドラムの周側面と接触する位置との間隔は、上記媒体の搬送方向の長さ以下である
請求項３に記載の媒体処理装置。
【請求項６】
上記可動ガイドは、上記ドラムの外径に追従して、上記テープが上記ドラムに巻き付く角度とほぼ同様の角度へ回動する
請求項１に記載の媒体処理装置。
【請求項７】
上記ドラムに一端が固定された上記テープの走行方向を変えるよう上記可動ガイドに取り付けられ、当該ドラムに上記媒体が最も多く巻き付いた際に当該ドラムの周側面よりも当該ドラムから離隔した位置に移動するプーリ
をさらに有する請求項６に記載の媒体処理装置。
【請求項８】
上記可動ガイドは、上記媒体が最も多く巻き付いた状態の上記ドラムの周側面よりも当該ドラムから離隔した位置の回動中心軸を中心として回動し、
上記入出部において上記媒体が搬送される搬送路は、上記回動中心軸を中心とした円弧形状に湾曲している
請求項１に記載の媒体処理装置。
【請求項９】
上記搬送路を挟んで対向して固定された第１搬送ガイド及び第２搬送ガイド
をさらに有し、
上記第１搬送ガイドと上記可動アッパガイドとは互いに噛み合うように構成され、上記第２搬送ガイドと上記可動ロアガイドとは互いに噛み合うように構成された
請求項１に記載の媒体処理装置。
【請求項１０】
上記搬送路を挟んで対向して固定された第１搬送ガイド及び第２搬送ガイド
をさらに有し、
上記第１搬送ガイドと上記可動アッパガイドとは互いに噛み合うように構成され、上記第２搬送ガイドと上記可動ロアガイドとは互いに噛み合うように構成され、上記第１搬送ガイドと上記可動アッパガイドとが噛み合う箇所と、上記第２搬送ガイドと上記可動ロアガイドとが噛み合う箇所とは、上記回動中心軸を中心とした円弧形状である
請求項８に記載の媒体処理装置。
【請求項１１】
円筒状でなり上記入出部近傍において互いの回動中心軸が上記ドラムの回動中心軸とほぼ一直線上に並ぶように上記可動ガイドに取り付けられ回動することにより上記媒体を搬送する一対の搬送ローラ
をさらに有する請求項１に記載の媒体処理装置。
【請求項１２】
円筒状でなり回転可能に設けられると共に、外部から入出部を介し供給される紙葉状の媒体をテープと重ねて周側面に巻き付けるドラムと、
上記入出部近傍を一端とし他端が上記ドラム近傍まで伸び、上記媒体の上記入出部から上記ドラムまでの搬送をガイドすると共に上記ドラムの外径に追従して回動する可動ガイドと、
上記ドラムに一端が固定された上記テープの走行方向を変えるよう上記可動ガイドに取り付けられ、当該ドラムに上記媒体が最も多く巻き付いた際に当該ドラムの周側面よりも当該ドラムから離隔した位置に移動するプーリと
を有する媒体処理装置。
【請求項１３】
円筒状でなり回転可能に設けられると共に、外部から入出部を介し供給される紙葉状の媒体をテープと重ねて周側面に巻き付けるドラムと、
上記入出部近傍を一端とし他端が上記ドラム近傍まで伸び、上記媒体の上記入出部から上記ドラムまでの搬送をガイドすると共に、上記ドラムの外径に追従して、上記媒体が最も多く巻き付いた状態の上記ドラムの周側面よりも当該ドラムから離隔した位置の回動中心軸を中心として回動する可動ガイドと、
を有し、
上記入出部において上記媒体が搬送される搬送路は、上記回動中心軸を中心とした円弧形状に湾曲している
媒体処理装置。
【請求項１４】
紙葉状の媒体に関する取引を受け付ける受付部と、
上記受付部により受け付けた上記媒体を搬送する搬送部と、
円筒状でなり回転可能に設けられると共に、外部から入出部を介し供給される上記媒体をテープと重ねて周側面に巻き付けるドラムと、
上記入出部において上記媒体が搬送される搬送路を挟んで対向する可動アッパガイドと可動ロアガイドとから構成され、上記入出部近傍を一端とし他端が上記ドラム近傍まで伸び、上記媒体の上記入出部から上記ドラムまでの搬送をガイドすると共に上記ドラムの外径に追従して上記可動アッパガイドと上記可動ロアガイドとが一体的に回動する可動ガイドと
を有する媒体取引装置。
【発明の詳細な説明】
【技術分野】
【０００１】
本発明は、媒体処理装置及び媒体取引装置に関し、例えば紙幣等の媒体を投入して所望の取引を行う現金自動預払機（ＡＴＭ：Automatic Teller Machine）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する金種カセットとを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣の金種を鑑別部により再鑑別し、鑑別された金種に応じて各金種カセットへ収納する。
【０００５】
一時保留部としては、例えば回転する円筒状のドラムと、対向する１組の長いテープとを有し、各テープの一端をドラムの周側面に重ねるように固定したものが提案されている（例えば、特許文献１参照）。
【０００６】
例えば図９に示すように、従来の一時保留部１１５は、図の左側に設けられた上側リール３２から上側テープ３４を引き出して図の右方向へ進行させた後、これを上側テーププーリ１３７により折り返して図の左方向へ進行させると共に、下側リール４１から下側テープ４３を引き出して下側テーププーリ１５８等により折り返して図の左方向へ進行させる。
【０００７】
一時保留部１１５に対し紙幣を出し入れする紙幣入出部１５４は、紙幣が搬送される搬送路１５３と、当該搬送路１５３の上面を構成する搬送アッパガイド１５１と、搬送路１５３の下面を構成する搬送ロアガイド１５２とからなり、図示せぬフレーム構造に動かぬよう固定されている。
【０００８】
搬送アッパガイド１５１には、搬送ローラ１６０及び１６６と、上側テーププーリ１３７とが設けられている。搬送ロアガイド１５２には、搬送ローラ１６０及び１６６とそれぞれ対向して配置された搬送ローラ１５６及び１５７と、下側テーププーリ１５８とが設けられている。
【０００９】
そして一時保留部１１５は、図の右側から搬送されてくる紙幣ＢＬを搬送路１５３に沿って搬送して上側テープ３４及び下側テープ４３の間に挟持し、円筒形状のドラム３１に順次巻き付けることにより、一時保留部１１５内に紙幣ＢＬを収納する。
【００１０】
また一時保留部１１５は、上側テープ３４及び下側テープ４３を上側リール３２及び下側リール４１にそれぞれ巻き取りながら、ドラム３１を収納時とは反対方向に回転させることにより、収納している紙幣ＢＬを放出する。
【００１１】
図９は、設計上最も少ない数量の紙幣ＢＬがドラム３１に巻き付けられ、当該ドラム３１の見かけ上の外径が最小となっている最薄状態を示している。
【００１２】
このような一時保留部１１５においてドラム３１は、多数の紙幣がＢＬ順次巻き付けられるに連れて、見かけ上の外径が増加していく。
【００１３】
図１０は、設計上最も多い数量の紙幣ＢＬがドラム３１に巻き付けられ、当該ドラム３１の見かけ上の外径が最大となっている最厚状態を示している。
【先行技術文献】
【特許文献】
【００１４】
【特許文献１】特開２０１０−１１２３公報
【発明の概要】
【発明が解決しようとする課題】
【００１５】
ドラム３１は、紙幣ＢＬが巻き付けられることにより外径が大径化し、固定された搬送ロアガイド１５２に近づいていく。よって一時保留部１１５は、ドラム３１が当該搬送ロアガイド１５２に接触しない外径までしか紙幣ＢＬを巻き付けることができないため、少数枚の紙幣ＢＬしか収納できなかった。
【００１６】
またドラム３１に紙幣ＢＬを巻き付けていき外径が大きくなるに従い、下側テープ４３がドラム３１に巻き付く際の水平方向（前後方向）に対する角度である巻付角度ＲＴが増加していく。
【００１７】
このため、ほぼ水平方向（前後方向）に沿って構成された搬送路１５３の角度と巻付角度ＲＴとが合わなくなっていき、搬送路１５３からドラム３１への紙幣ＢＬの受け渡しが困難になるため、一時保留部１１５は、下側テープ４３の巻付角度ＲＴの変動が少ない少数枚の紙幣ＢＬしか収納できなかった。
【００１８】
本発明は以上の点を考慮してなされたもので、多数の媒体を収納でき使い勝手を高め得る媒体処理装置及び媒体取引装置を提案しようとするものである。
【課題を解決するための手段】
【００１９】
かかる課題を解決するため本発明の媒体処理装置においては、円筒状でなり回転可能に設けられると共に、外部から入出部を介し供給される紙葉状の媒体をテープと重ねて周側面に巻き付けるドラムと、入出部において媒体が搬送される搬送路を挟んで対向する可動アッパガイドと可動ロアガイドとから構成され、入出部近傍を一端とし他端がドラム近傍まで伸び、媒体の入出部からドラムまでの搬送をガイドすると共にドラムの外径に追従して可動アッパガイドと可動ロアガイドとが一体的に回動する可動ガイドとを設けるようにした。
【００２０】
これにより本発明の媒体処理装置は、ドラムの見かけ上の外径が増加した場合であっても、ドラムに媒体を巻き付ける空間を確保できる。
【００２１】
また本発明の媒体取引装置においては、紙葉状の媒体に関する取引を受け付ける受付部と、受付部により受け付けた媒体を搬送する搬送部と、円筒状でなり回転可能に設けられると共に、外部から入出部を介し供給される紙葉状の媒体をテープと重ねて周側面に巻き付けるドラムと、入出部において媒体が搬送される搬送路を挟んで対向する可動アッパガイドと可動ロアガイドとから構成され、入出部近傍を一端とし他端がドラム近傍まで伸び、媒体の入出部からドラムまでの搬送をガイドすると共にドラムの外径に追従して可動アッパガイドと可動ロアガイドとが一体的に回動する可動ガイドとを設けるようにした。
【００２２】
これにより本発明の媒体取引装置は、ドラムの見かけ上の外径が増加した場合であっても、ドラムに媒体を巻き付ける空間を確保できる。
【発明の効果】
【００２３】
本発明によれば、ドラムの見かけ上の外径が増加した場合であっても、ドラムに媒体を巻き付ける空間を確保できる。かくして本発明は、多数の媒体を収納でき使い勝手を高め得る媒体処理装置及び媒体取引装置を実現できる。
【図面の簡単な説明】
【００２４】
【図１】現金自動預払機の構成における前面、左側面及び上面を示す斜視図である。
【図２】紙幣入出金機の構成を示す左側面図である。
【図３】一時保留部の外観構成における前面、左側面及び上面を示す斜視図である。
【図４】一時保留部の内部構成における前面、左側面及び上面を示す斜視図である。
【図５】最薄状態における一時保留部の内部構成における左側面図である。
【図６】最厚状態における一時保留部の内部構成における左側面図である。
【図７】最薄状態における紙幣入出部の拡大左側面図である。
【図８】最厚状態における紙幣入出部の拡大左側面図である。
【図９】最薄状態における従来の一時保留部の内部構成における左側面図である。
【図１０】最厚状態における従来の一時保留部の内部構成における左側面図である。
【発明を実施するための形態】
【００２５】
以下、発明を実施するための形態について、図面を用いて詳細に説明する。
【００２６】
＜１．実施の形態＞
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２７】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００２８】
接客部３は、カード入出口４、入出金口５、操作表示部６、テンキー７、及びレシート発行口８が設けられており、顧客との間で現金や通帳等を直接やり取りすると共に、取引に関する情報の通知や操作指示の受付を行うようになっている。
【００２９】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００３０】
入出金口５は、顧客が入金する紙幣が投入されると共に、顧客へ出金する紙幣が排出される部分である。また入出金口５は、シャッタを駆動することにより開放又は閉塞するようになされている。因みに紙幣は、例えば長方形の紙で構成されている。
【００３１】
操作表示部６は、取引に際して操作画面を表示するＬＣＤ（Liquid Crystal Display）と、取引の種類の選択、暗証番号や取引金額等を入力するタッチパネルとが一体化されている。
【００３２】
テンキー７は、「０」〜「９」の数字等の入力を受け付ける物理キーであり、暗証番号や取引金額等の入力操作時に用いられるようになされている。
【００３３】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００３４】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３５】
筐体２内には、現金自動預払機１全体を統括制御する主制御部９や、紙幣に関する種々の処理を行う紙幣入出金機１０等が設けられている。
【００３６】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行うようになされている。
【００３７】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３８】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。
【００３９】
紙幣入出金機１０は、図２に側面図を示すように、紙幣に関する種々の処理を行う複数の部分が組み合わされた構成となっている。また紙幣入出金機１０の各部分は、紙幣制御部１１により制御されるようになされている。
【００４０】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００４１】
また紙幣制御部１１は、内部にＲＡＭ及びフラッシュメモリ等でなる記憶部１１Ａ（図１）を有しており、この記憶部１１Ａに種々の情報を記憶させるようになされている。
【００４２】
紙幣制御部１１は、例えば顧客が紙幣を入金する入金取引を行う場合、操作表示部６を介して所定の操作入力を受け付けた後、入出金口５のシャッタを開いて入出金部１２内へ紙幣を投入させる。
【００４３】
入出金部１２は、紙幣が投入されると、入出金口５のシャッタを閉じてから紙幣を１枚ずつ取り出し、搬送部１３へ受け渡す。搬送部１３は、長方形の紙葉状に構成された紙幣を短辺方向に沿って進行させ、鑑別部１４へ搬送する。
【００４４】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００４５】
このとき搬送部１３は、鑑別部１４において正常紙幣と鑑別された紙幣を一時保留部１５へ搬送する等して一時的に保留させる一方、取引すべきでないと鑑別されたリジェクト紙幣を入出金部１２へ搬送して顧客に返却する。
【００４６】
その後紙幣制御部１１は、操作表示部６を介して顧客に入金金額を確定させ、一時保留部１５に保留している紙幣を搬送部１３により鑑別部１４へ搬送してその金種及び損傷の程度等を鑑別させ、その鑑別結果を取得する。
【００４７】
そして紙幣制御部１１は、紙幣の損傷の程度が大きければ、これを再利用すべきでない紙幣として搬送部１３によりリジェクト庫１６へ搬送して収納させ、損傷の程度が小さければ、これを再利用すべき紙幣として搬送部１３により鑑別部１４に搬送し、当該鑑別部１４により再び紙幣を鑑別する。
【００４８】
搬送部１３は、鑑別部１４において正常紙幣と鑑別された紙幣を、その金種に応じた紙幣カセット１７に収納させる一方、取引すべきでないと鑑別された紙幣を回収庫１８に搬送する。
【００４９】
［１−２．一時保留部の構成］
図３に外観を示すように、一時保留部１５は、一時保留部筐体３０に各部品が取り付けられた構成となっている。
【００５０】
一時保留部筐体３０は、現金自動預払機１内に設置された際に前面（図１）側となる前側及びその反対の後側、当該前面側に対峙した顧客から見て左及び右となる左側及び右側、並びに下側といった外周の大部分を隔壁とすることにより、当該隔壁に囲まれた内部空間３０Ａを形成している。その一方で一時保留部筐体３０は、外周のうち上側の隔壁が省略されてなる開放部３０Ｂを介して外部から当該内部空間３０Ａへアクセスできるようになされている。
【００５１】
また一時保留部筐体３０の前側面には、内部空間３０Ａ内への紙幣ＢＬの出入り口となる紙幣入出孔３０Ｃが穿設されている。
【００５２】
因みに一時保留部筐体３０の左側及び右側の隔壁内には、図示しないモータから後述するドラムやローラ等へ駆動力を伝達するためのギヤ等が内蔵されている。また一時保留部筐体３０の左側面には、保守作業の際にドラムやローラ等を手動で回転させるための操作ノブ３０Ｄが設けられている。
【００５３】
［１−２−１．ドラム及びテープ走行系の構成］
図４は、一時保留部１５のうち一時保留部筐体３０を省略し、当該一時保留部筐体３０に取り付けられた各部品を表した斜視図である。図５は、図４の一時保留部１５を左側から見た側面図である。
【００５４】
また図５は、設計上最も少ない数量の紙幣がドラム３１に巻き付けられ、当該ドラム３１の見かけ上の外径が最小となっている最薄状態を示し、図６は、設計上最も多い数量の紙幣がドラム３１に巻き付けられ、当該ドラム３１の見かけ上の外径が最大となっている最厚状態を示している。
【００５５】
図４及び図５に示すように、ドラム３１は、円筒状に構成されており、一時保留部筐体３０の内部空間３０Ａ（図３）内において、左右方向に沿った回転軸３１Ｘを中心に巻取方向Ｒ１又は繰出方向Ｒ２へ回転し得るように取り付けられている。
【００５６】
また一時保留部１５には、互いにほぼ同様に構成されたテープ走行系が左右それぞれに１系統ずつ設けられている。各テープ走行系では、上側テープ及び下側テープの２本のテープを走行させるようになされている。
【００５７】
上側リール３２は、糸巻き状に構成されており、ドラム３１の上側、すなわち開放部３０Ｂ（図３）側における後方寄り且つ左寄りの箇所に、ドラム３１の回転軸３１Ｘと平行な回転軸３２Ｘを中心に回転するように設けられている。この上側リール３２には、テープとしての上側テープ３４が巻き付けられている。
【００５８】
上側リール３３は、上側リール３２と同様に構成されており、当該上側リール３２とほぼ左右対称となる後方寄り且つ右寄りの箇所に、当該上側リール３２と共通の回転軸３２Ｘを中心に回転するように設けられている。この上側リール３３には、テープとしての上側テープ３５が巻き付けられている。
【００５９】
上側テープ３４及び３５は、いずれも薄いフィルム状の樹脂でなり、そのテープ幅が紙幣ＢＬ（図３）の長辺よりも十分に短くなっている。また上側テープ３４及び３５は、長手方向に十分な長さを有している。
【００６０】
上側リール３２及び３３から見てドラム３１よりも前側、すなわち紙幣入出孔３０Ｃ（図３）側には、ドラム３１の回転軸３１Ｘと平行なプーリシャフト３６に挿通された上側テーププーリ３７及び３８がそれぞれ設けられている。
【００６１】
上側テーププーリ３７及び３８は、いずれも円筒状に構成され、その内径がプーリシャフト３６の外径よりも僅かに大きく構成されているため、プーリシャフト３６を回転軸として自在に回転することができる。
【００６２】
また上側テーププーリ３７及び３８は、それぞれ左右方向の長さが上側テープ３４及び３５のテープ幅よりも長く、且つ上側リール３２及び３３とそれぞれ対応するよう、プーリシャフト３６上における左右方向の位置が定められている。
【００６３】
上側リール３２及び３３からそれぞれ引き出された上側テープ３４及び３５は、それぞれ開放部３０Ｂ（図３）を横切るように前方向へ掛け渡された後、上側テーププーリ３７及び３８を介して引き回されることによりそれぞれ後方向へ折り返される。
【００６４】
さらに上側テープ３４及び３５は、後述する可動アッパガイド５１に設けられた所定のローラによりそれぞれドラム３１に押し当てられており、その先端部が当該ドラム３１に固定されている。
【００６５】
また上側リール３２及び３３は、図示しないテンションスプリングにより、上側テープ３４及び３５を巻き取る方向である巻取方向Ｓ１へそれぞれ付勢されている。これにより一時保留部１５は、上側テープ３４及び３５に対し常に所定の張力を持たせるようになされている。
【００６６】
因みに一時保留部１５では、敢えて上側リール３２及び３３をドラム３１よりも後方寄りの位置に設けた上で、当該上側リール３２及び３３と上側テーププーリ３７及び３８との間で上側テープ３４及び３５を前方へ走行させ、当該上側テーププーリ３７及び３８によって当該上側テープ３４及び３５を後方へ折り返している。
【００６７】
これにより一時保留部１５は、上側リール３２及び３３と現金自動預払機１内における他の機構等との干渉を回避できる。
【００６８】
下側リール４１は、上側リール３２と同様の糸巻き状に構成されており、当該上側リール３２の下方、すなわちドラム３１の下側における後方寄り且つ左寄りの箇所に、ドラム３１の回転軸３１Ｘと平行な回転軸４１Ｘを中心に回転し得るように設けられている。
【００６９】
この下側リール４１には、上側テープ３４と同様に構成された下側テープ４３が巻き付けられている。因みに下側リール４１における下側テープ４３の巻付方向は、上側リール３２における上側テープ３４の巻付方向とは反対となっている。
【００７０】
下側リール４２は、下側リール４１と同様に構成されており、当該下側リール４１とほぼ左右対称となる後方寄り且つ右寄りの箇所に、当該下側リール４１と共通の回転軸４１Ｘを中心に回転するように設けられている。この下側リール４２には、下側テープ４３と同様の下側テープ４４が巻き付けられている。
【００７１】
下側リール４１及び４２の前方には、ドラム３１の回転軸３１Ｘと平行な回転軸４５Ｘを中心に回転する下側テーププーリ４５及び４６がそれぞれ設けられている。
【００７２】
下側テーププーリ４５及び４６は、上側テーププーリ３７及び３８と同様、いずれも円筒状に構成されており、左右方向の長さが下側テープ４３及び４４のテープ幅よりも長く、且つ左右方向に関し下側リール４１及び４２とそれぞれ対応する位置に設けられている。
【００７３】
下側リール４１及び４２から引き出された下側テープ４３及び４４は、それぞれ前方向へ渡された後、下側テーププーリ４５及び４６を介して引き回されることにより、それぞれ上方向へ向かう。さらに下側テープ４３及び４４は、後述する可動ロアガイド５２に設けられた所定の下側テーププーリ５８を介して後方向へ向かうと共にドラム３１に押し当てられており、その先端部が当該ドラム３１に固定されている。
【００７４】
因みに一時保留部１５は、下側リール４１及び４２についても、上側リール３２及び３３の場合と同様にドラム３１よりも後方寄りの位置に設けたことにより、現金自動預払機１内の他の機構等との干渉を回避するようになされている。
【００７５】
ここで下側テープ４３は、その先端がドラム３１の周側面における左寄りの箇所に固定されている。また上側テープ３４は、その先端がドラム３１の外周面において当該下側テープ４３の外周側に重なるように固定されている。
【００７６】
また下側テープ４４は、その先端がドラム３１の周側面における右寄りの箇所、すなわち下側テープ４３とほぼ左右対称となる箇所に固定されている。また上側テープ３５は、その先端がドラム３１の外周面において当該下側テープ４４の外周側に重なるように固定されている。
【００７７】
かかる構成により一時保留部１５は、ドラム３１を巻取方向Ｒ１へ回転させると、その周側面に下側テープ４３及び上側テープ３４を重ねると共に下側テープ４４及び上側テープ３５を重ねるようにして巻き付けていく。
【００７８】
このとき一時保留部１５は、下側テープ４３及び４４と上側テープ３４及び３５との間に紙幣ＢＬを挟み、当該下側テープ４３及び４４並びに上側テープ３４及び３５と共に当該紙幣ＢＬをドラム３１の周側面に巻き付ける。
【００７９】
［１−２−２．可動ガイドの構成］
可動ガイド５０は、上側の可動アッパガイド５１及び下側の可動ロアガイド５２により構成されている。
【００８０】
可動アッパガイド５１と可動ロアガイド５２との間には、紙幣ＢＬの厚さよりも充分に広い隙間が設けられており、この隙間から当該可動アッパガイド５１の下面及び当該可動ロアガイド５２の上面に沿って紙幣ＢＬを搬送するための搬送路５３が形成されている。
【００８１】
一時保留部１５の前方下部には、紙幣ＢＬの下面をガイドする可動ロアガイド５２及び後述する後側搬送ガイドと、紙幣ＢＬの上面をガイドする可動アッパガイド５１及び後述する前側搬送ガイドとにより、紙幣入出孔３０Ｃを介し当該一時保留部１５内に対し紙幣ＢＬを収納又は放出する紙幣入出部５４が形成されている。
【００８２】
可動ロアガイド５２は、左右側面視において滴状又は楔状に形成されている。可動ロアガイド５２の前側下方には、図４に示すように、左右方向に所定の幅を有するロアガイド爪７０が、左右方向に一定間隔を空けて、下方に向かって複数個突設している。
【００８３】
また可動ロアガイド５２の前側下方には、左右方向に貫通する回動孔５５が穿設されている。一方、一時保留部筐体３０（図３）における左右の内側面には、前側の上方に回動孔５５と対応する左右方向に沿った回動軸（図示せず）が設けられている。
【００８４】
また可動ロアガイド５２の前側から上側に渡る湾曲した斜面には、当該斜面から前側ないし上側を露出させるように搬送ローラ５６及び５７が設けられている。搬送ローラ５６及び５７は、それぞれ円筒状に構成されると共に左右方向に沿った回転軸（図示せず）に貫通されており、図示しない駆動機構を介して駆動力が当該回転軸に伝達されることにより、当該回転軸と共に双方向へ回転し得るようになされている。また搬送ローラ５６は、回動孔５５の中心を中心軸とするよう配置されている。
【００８５】
可動ロアガイド５２は、一時保留部筐体３０の回動軸を回動孔５５に挿通させるよう取り付けられると、この回動軸及び回動孔５５を中心として（すなわち搬送ローラ５６の中心軸を中心として）、一時保留部筐体３０に対し内方向Ｔ１又は外方向Ｔ２（図５）へ回動することができる。
【００８６】
可動ロアガイド５２における上方には、円筒状の下側テーププーリ５８が左右方向に沿った回転軸（図示せず）を中心に回転し得るよう設けられている。この下側テーププーリ５８は、上方向へ向かう下側テープ４３及び４４をそれぞれ後方向へ折り返し、搬送路５３に沿って、すなわち可動アッパガイド５１の下面に沿って、それぞれ進行させる。
【００８７】
このため可動ガイド５０は、前側から紙幣ＢＬが搬送路５３へ挿入された場合、回転する搬送ローラ５６及び５７により当該紙幣ＢＬを搬送路５３に沿って後方向へ順次送り出し、下側テーププーリ５８の後側を後方向へ走行する下側テープ４３及び４４によりさらに後方向へ進行させるようになされている。
【００８８】
可動アッパガイド５１は、可動ロアガイド５２に固定されたフレーム６１と一体化し、ドラム３１及び可動ロアガイド５２の上側を覆っている。
【００８９】
可動アッパガイド５１は、フレーム６１によって前方及び左右を囲まれるように設けられており（図４）、全体として、一時保留部筐体３０（図３）の上側に形成された開放部３０Ｂにおいてドラム３１を上側から覆うような、湾曲した板状に形成されている。
【００９０】
すなわち可動アッパガイド５１は、おおむねドラム３１の前側部分から可動ロアガイド５２の後側部分までの範囲を覆う中央部分において、その下面がほぼ平面状に形成されている。また可動アッパガイド５１は、ドラム３１の後側を覆う後側部分において、当該ドラム３１の外周形状に対応するように、その下面が後方へ進むに連れて下方へ垂れ下がる形状となっている。さらに可動アッパガイド５１は、可動ロアガイド５２の前側部分と対向する前側部分において、当該可動ロアガイド５２の上面形状に合わせるように、その下面が前方へ進むにつれて下方へ垂れ下がる形状となっている。
【００９１】
因みに可動アッパガイド５１には、上側テープ３４及び３５を挿通させるための挿通孔等が適宜設けられている。
【００９２】
可動アッパガイド５１の前側下方には、図４に示すように、左右方向に所定の幅を有するアッパガイド爪７２が、左右方向に一定間隔を空けて、下方に向かって複数個突設している。
【００９３】
可動アッパガイド５１（図５）の前方下部には、後側を露出させ搬送ローラ５６と対向するように搬送ローラ６０が設けられている。搬送ローラ６０は、円筒状に構成されると共に一時保留部筐体３０に固定され左右方向に沿った回転軸（図示せず）に貫通されており、図示しない駆動機構を介して駆動力が当該回転軸に伝達されることにより、当該回転軸と共に双方向へ回転し得るようになされている。
【００９４】
また可動アッパガイド５１における中央部分には、下側を露出させるように搬送ローラ６６及びローラ６８が設けられている。搬送ローラ６６及びローラ６８は、それぞれ円筒状に構成されると共に左右方向に沿った回転軸（図示せず）に貫通されており、双方向へ回転し得るようになされている。
【００９５】
搬送ローラ６６は、所定の付勢手段によりその回転軸が下方向へ付勢されている。このため搬送ローラ６６は、搬送路５３を搬送されてくる紙幣ＢＬを可動ロアガイド５２の搬送ローラ５７に押し付けることができ、当該搬送ローラ５７の駆動力を当該紙幣ＢＬへ効率良く伝達させることができる。
【００９６】
ローラ６８は、前後方向に関してドラム３１のほぼ真上となり左右方向に関して上側リール３２及び３３と対応する箇所に設けられており、その下面において上側テープ３４及び３５と当接している。
【００９７】
このためローラ６８は、下側テープ４３及び４４の上面に載せられて搬送路５３を前側から搬送されてくる紙幣ＢＬの上側に上側テープ３４及び３５を当接させて走行させることができる。
【００９８】
すなわちローラ６８は、上側テープ３４及び３５と下側テープ４３及び４４との間に紙幣ＢＬを挟ませ、さらにこれらを後方へ進行させると共にドラム３１の周側面に押し付ける。
【００９９】
また、搬送ローラ６６及び５７が紙幣ＢＬを挟持する位置である挟持位置Ｐ１と、ローラ６８が紙幣ＢＬをドラム３１に押し付ける位置である当接位置Ｐ２との距離は、紙幣入出金機１０において取り扱われる紙幣ＢＬのうち、搬送方向に沿った短辺方向の長さが最も短い紙幣（以下これを最小サイズ紙幣とも呼ぶ）の短辺方向の長さ以下の距離で構成されている。
【０１００】
最薄状態における一時保留部１５（図５）の紙幣入出部５４の拡大図を図７に示すように、可動ロアガイド５２の下方には、一時保留部筐体３０（図３）に動かぬよう固定された後側搬送ガイド６３が設けられている。因みに図７においてフレーム６１は図示せず省略する。
【０１０１】
後側搬送ガイド６３の前方上端には、左右方向にロアガイド爪７０とほぼ同様の幅を有する爪部が、左右方向にロアガイド爪７０とほぼ同様の間隔を空けて、上方に向かって複数個突設している。
【０１０２】
このためロアガイド爪７０と後側搬送ガイド６３の爪部とは互いに遊嵌しつつ噛合した状態となっている。これにより可動ロアガイド５２の前方下端は、後側搬送ガイド６３の前側面よりも後方に位置している。
【０１０３】
可動アッパガイド５１の下方には、一時保留部筐体３０に動かぬよう固定された前側搬送ガイド６２が設けられている。
【０１０４】
前側搬送ガイド６２の後方上端には、左右方向にアッパガイド爪７２とほぼ同様の幅を有する爪部が、左右方向にアッパガイド爪７２とほぼ同様の間隔を空けて、上方に向かって複数個突設している。
【０１０５】
このためアッパガイド爪７２と前側搬送ガイド６２の爪部とは互いに遊嵌しつつ噛合した状態となっている。これにより可動アッパガイド５１の前方下端は、前側搬送ガイド６２の後側面よりも前方に位置している。
【０１０６】
このように紙幣入出部５４においては、ロアガイド爪７０及び後側搬送ガイド６３を噛合した状態とすると共に、アッパガイド爪７２及び前側搬送ガイド６２を噛合した状態とした。
【０１０７】
このため一時保留部１５は、可動ロアガイド５２及び可動アッパガイド５１の下端を搬送路５３に突出させてしまい紙幣ＢＬの搬送を妨げてしまうことなく、当該紙幣ＢＬを円滑に搬送することができる。
【０１０８】
因みに図４、図５及び図６において前側搬送ガイド６２及び後側搬送ガイド６３は図示せず省略している。
【０１０９】
ここで、可動ロアガイド５２（図７）のロアガイド爪７０が後側搬送ガイド６３と噛合する部分である後側噛合部６５形状は、左右側面視において搬送ローラ５６の中心である回動中心部ＲＣを中心とする円弧形状となっている。
【０１１０】
また可動アッパガイド５１のアッパガイド爪７２が前側搬送ガイド６２と噛合する部分である前側噛合部６４の形状は、左右側面視において回動中心部ＲＣを中心とする円弧形状となっている。
【０１１１】
可動ロアガイド５２及び可動アッパガイド５１に挟まれて構成され、可動ガイド５０に合わせて回動する可動搬送路４８は、回動中心部ＲＣの前側における前側噛合部６４及び後側噛合部６５に挟まれる箇所から上方へ伸び、徐々に後方へ湾曲している。
【０１１２】
また前側搬送ガイド６２及び後側搬送ガイド６３に挟まれて回動せぬよう形成された固定搬送路４９は、回動中心部ＲＣの前方下側から前側噛合部６４及び後側噛合部６５に向かって伸びている。
【０１１３】
このように可動ガイド５０（図５）は、一時保留部筐体３０の紙幣入出孔３０Ｃを介して挿入された紙幣ＢＬを、可動搬送路４８及び固定搬送路４９から成る搬送路５３に沿って搬送し、上側テープ３４及び３５並びに下側テープ４３及び４４により当該紙幣ＢＬを上下から挟んだ状態で、ドラム３１の周側面近傍まで到達させるようになされている。
【０１１４】
ところで可動ガイド５０は、上述した搬送ローラ５６の回動中心部ＲＣを回動中心として内方向Ｔ１又は外方向Ｔ２へ回動し得るようになされているが、重力により下方向へ向かう力、すなわち内方向Ｔ１へ向かう力が作用する。
【０１１５】
このため可動ガイド５０は、ローラ６８をドラム３１に巻かれた上側テープ３４及び３５に当接させ、押し付けることになる。
【０１１６】
これにより可動ガイド５０は、ドラム３１が巻取方向Ｒ１へ回転する際に、上側テープ３４及び３５並びに下側テープ４３及び４４により挟持された紙幣ＢＬを、長辺方向に（すなわち左右方向に）伸ばしながら当該ドラム３１の周側面に押し付けるようガイドすることができる。
【０１１７】
ここでドラム３１は、多数の紙幣ＢＬが順次巻き付けられていくに連れて、図６に示すように見かけ上の外径が増加していく。これに応じて可動ガイド５０は、可動アッパガイド５１がドラム３１により上方向へ徐々に持ち上げられることになり、搬送ローラ５６の回動中心部ＲＣを中心に外方向Ｔ２へ回動することになる。
【０１１８】
すなわち可動ガイド５０は、ドラム３１の外径に関わらず、ローラ６８をドラム３１に常に当接させることができ、紙幣ＢＬの搬送方向及び搬送先を当該ドラム３１の外周面に追従させることができる。
【０１１９】
また可動ガイド５０は、回動中心部ＲＣよりも後方であるドラム３１側に重心が位置するように構成されている。
【０１２０】
このため可動ガイド５０は、最薄状態から最厚状態へ変化する際も、安定してドラム３１の上に当接して載り続けることができる。
【０１２１】
また、最薄状態から最厚状態まで変化する際に、搬送ローラ６６、５７及びローラ６８の位置関係は変化せず常に一定となっている。
【０１２２】
さらに可動ガイド５０は、ドラム３１の外径に関わらず一時保留部筐体３０（図３）の開放部３０Ｂをドラム３１の上方から覆い、内部空間３０Ａと外部とを遮蔽し続けることができる。
【０１２３】
最厚状態における一時保留部１５（図６）の紙幣入出部５４の拡大図を図８に示す。因みに図８においては図７と同様にフレーム６１を図示せず省略する。
【０１２４】
上述したように、後側噛合部６５及び前側噛合部６４の形状は、回動中心部ＲＣを中心とする円弧形状となっている。
【０１２５】
このため、可動ガイド５０が回動中心部ＲＣを中心として回動するときに可動搬送路４８が固定搬送路４９からずれていってしまうことがない。
【０１２６】
これにより一時保留部１５は、可動ガイド５０が回動して最薄状態から最厚状態へ変化した際も、可動ロアガイド５２及び可動アッパガイド５１の下端が搬送路５３に出て紙幣ＢＬの搬送を妨げてしまうことがないようにすることができる。
【０１２７】
すなわち一時保留部１５は、可動ガイド５０が回動した際も、固定搬送路４９と可動搬送路４８とを繋げ続けることができ、紙幣ＢＬを円滑に搬送させることができる。
【０１２８】
［１−３．動作及び効果］
以上の構成において、現金自動預払機１の一時保留部１５は、ドラム３１の外周面に当接するローラ６８を有する可動アッパガイド５１と、当該可動アッパガイド５１と一体化した可動ロアガイド５２とを、搬送ローラ５６の回動中心部ＲＣを中心として、当該ドラム３１の外径に追従させて回動させるようにした。
【０１２９】
このため一時保留部１５は、最薄状態から最厚状態に変化する際、上側テープ３４及び３５と下側テープ４３及び４４の水平方向に対する巻付角度ＲＴが徐々に大きくなるよう変化するが、当該巻付角度ＲＴの変化に、可動搬送路４８の向きを追従させることができる。
【０１３０】
これと共に一時保留部１５は、可動アッパガイド５１及び可動ロアガイド５２の後側をドラム３１から離隔する方向である上方に移動させていくことができる。
【０１３１】
これにより一時保留部１５は、ドラム３１の見かけ上の外径が増加した場合であっても、当該ドラム３１に紙幣ＢＬを巻き付ける空間を確保できるため、多数の紙幣ＢＬをドラム３１に巻き付け、収納することができる。
【０１３２】
また一時保留部１５は、最厚状態におけるドラム３１の見かけ上の外径よりも離隔した位置にある搬送ローラ５６の回動中心部ＲＣを中心として、可動ガイド５０を回動するようにした。
【０１３３】
これにより一時保留部１５は、搬送ローラ５６よりもドラム３１に近接した位置に配置された、例えば搬送ローラ５７の中心軸を中心として可動ガイド５０を回動させる場合と比べて、より多くの紙幣ＢＬをドラム３１に巻き付けることができる。
【０１３４】
また一時保留部１５は、可動ガイド５０に固定され下側テープ４３及び４４を折り返す下側テーププーリ５８を、当該可動ガイド５０と共にドラム３１の外径に追従させて移動させるようにした。
【０１３５】
これにより一時保留部１５は、ドラム３１の見かけ上の外径が増加した場合であっても、可動ガイド５０と共に下側テーププーリ５８をドラム３１から退避させるように移動させることができる。
【０１３６】
さらに一時保留部１５は、挟持位置Ｐ１と当接位置Ｐ２との距離を、最小サイズ紙幣の短辺方向の長さ以下の距離で構成し、可動ガイド５０が回動した場合においても搬送ローラ６６、５７及びローラ６８の位置関係は変化せず常に一定とするようにした。
【０１３７】
これにより一時保留部１５は、ドラム３１の見かけ上の外径が変化した際も、常に搬送ローラ５７及び６６により紙幣ＢＬを挟持して搬送し、ローラ６８によりドラム３１に押し付け紙幣ＢＬを安定的に巻き取ることができる。
【０１３８】
さらに一時保留部１５は、可動アッパガイド５１からローラ６８を下側に露出するように設け、上側テープ３４及び３５と当接させるようにした。
【０１３９】
これにより一時保留部１５は、可動アッパガイド５１の下面に直接紙幣ＢＬが強く接触することにより当該可動アッパガイド５１に紙幣ＢＬが引っかかってしまうことを回避すると共に、ローラ６８自身が回転することにより、当該ローラ６８の摩耗を抑えることができる。
【０１４０】
以上の構成によれば、一時保留部１５は、円筒状でなり回転可能に設けられると共に、外部から紙幣入出部５４を介し供給される紙幣ＢＬを上側テープ３４及び３５並びに下側テープ４３及び４４と重ねて周側面に巻き付けるドラム３１と、紙幣入出部５４近傍を一端とし他端がドラム３１近傍まで伸び、紙幣ＢＬの紙幣入出部５４からドラム３１までの搬送をガイドすると共にドラム３１の外径に追従して回動する可動ガイド５０とを設けるようにした。
【０１４１】
これにより一時保留部１５は、ドラム３１の見かけ上の外径が増加した場合であっても、当該ドラム３１に紙幣ＢＬを巻き付ける空間を確保できるため、多数の紙幣ＢＬをドラム３１に巻き付けることができる。
【０１４２】
＜２．他の実施の形態＞
なお上述した実施の形態においては、可動アッパガイド５１からローラ６８を下側に露出するように設け、上側テープ３４及び３５と当接させるようにした場合について述べた。
【０１４３】
本発明はこれに限らず、例えば可動アッパガイド５１から半球形状の突起を下側に向かって突出するよう設け、当該突起を上側テープ３４及び３５に当接させるようにしても良い。但し突起の場合、当該突起が上側テープ３４及び３５と擦れて摩耗していく。このためローラ６８のように回転可能なローラであれば、当該ローラの摩耗を抑え、使用に伴う劣化を抑えることができる。
【０１４４】
また上述した実施の形態においては、紙幣ＢＬを短辺方向に沿って搬送する場合について述べたが、本発明はこれに限らず、紙幣ＢＬを長辺方向に沿って搬送しても良い。
【０１４５】
その場合、挟持位置Ｐ１と当接位置Ｐ２との距離は、紙幣入出金機１０において取り扱われる紙幣ＢＬのうち、搬送方向に沿った長辺方向の長さが最も短い紙幣ＢＬの長辺方向の長さ以下の距離で構成することが望ましい。
【０１４６】
さらに上述した実施の形態においては、一時保留部筐体３０の上側に開放部３０Ｂを設けると共に可動ガイド５０をドラム３１よりも上側に配置し、重力の作用により可動ガイド５０をドラム３１の外周面に押し付けるようにした場合について述べた。
【０１４７】
しかしながら本発明はこれに限らず、一時保留部筐体３０の前側、後ろ側や下側に開放部３０Ｂを設け、当該開放部３０Ｂを覆うように可動ガイド５０をドラム３１の前側、後ろ側や下側に配置し、ばね等の付勢手段の作用により可動ガイド５０をドラム３１の外周面に押し付けるようにしても良い。
【０１４８】
さらに上述した実施の形態においては、一時保留部１５により上側テープ３４及び３５並びに下側テープ４３及び４４の間に紙幣ＢＬを挟持した状態で、当該紙幣ＢＬをドラム３１の外周面に巻き付けるようにした場合について述べた。
【０１４９】
本発明はこれに限らず、一時保留部１５から下側テープ４３及び４４及びこれに関連する機構を省略しても良い。この場合、例えば上側テープ３４及び３５の紙幣ＢＬと当接する面に粘着性を持たせ、この粘着性により紙幣ＢＬを上側テープ３４及び３５に貼り付けて仮止めした状態で、上側テープ３４及び３５を紙幣ＢＬの外周側に重ねるようにしてドラム３１の外周面に巻き付けるようにすれば良い。
【０１５０】
さらに上述した実施の形態においては、一時保留部１５に上側テープ３４及び３５並びに下側テープ４３及び４４のように、上側テープ及び下側テープの組み合わせでなるテープ走行系を左右に２組設けるようにした場合について述べた。
【０１５１】
しかしながら本発明はこれに限らず、一時保留部１５にテープ走行系を１組又は３組以上設けるようにしても良い。
【０１５２】
さらに上述した実施の形態においては、現金自動預払機１において取引中に入金された紙幣を一時的に保留する一時保留部１５に本発明を適用する場合について述べた。
【０１５３】
しかしながら本発明はこれに限らず、例えば紙幣の鑑別や計数のみを行う装置等、紙幣ＢＬを上側テープ３４及び３５並びに下側テープ４３及び４４の間に挟みドラム３１に巻き付けて一時的に保留する種々の装置に適用するようにしても良い。
【０１５４】
さらに上述した実施の形態においては、金融機関等において顧客との間で現金に関する取引を行う現金自動預払機１の一時保留部１５において、媒体としての紙幣ＢＬを保留するようにした場合について述べた。
【０１５５】
しかしながら本発明はこれに限らず、例えば金融機関等において職員が現金に関する各種処理を行うための出納システムに組み込まれる一時保留部に適用するようにしても良く、或いは商品券や金券、入場券等のような紙葉状の媒体を保留する種々の装置に適用するようにしても良い。この場合、媒体の大きさや形状に応じて上側テープ３４及び３５並びに下側テープ４３及び４４のテープ幅や数等を適宜定めれば良い。
【０１５６】
さらに上述した実施の形態においては、ドラムとしてのドラム３１と、可動ガイドとしての可動ガイド５０とによって、媒体処理装置としての一時保留部１５を構成する場合について述べた。
【０１５７】
しかしながら本発明はこれに限らず、その他種々の構成でなるドラムと、可動ガイドとによって媒体処理装置を構成するようにしても良い。
【０１５８】
さらに上述した実施の形態においては、受付部としての接客部３と、搬送部としての搬送部１３と、ドラムとしてのドラム３１と、可動ガイドとしての可動ガイド５０とによって媒体取引装置としての現金自動預払機１を構成する場合について述べた。
【０１５９】
しかしながら本発明はこれに限らず、その他種々の構成でなる受付部と、搬送部と、ドラムと、可動ガイドとによって媒体取引装置を構成するようにしても良い。
【産業上の利用可能性】
【０１６０】
本発明は、投入された紙幣等の紙状の媒体をテープと共にドラムに巻き付けて一時的に保留する種々の装置でも利用できる。
【符号の説明】
【０１６１】
１……現金自動預払機、３……接客部、４……カード入出口、５……入出金口、６……操作表示部、７……テンキー、８……レシート発行口、９……主制御部、９Ａ……記憶部、１０……紙幣入出金機、１１……紙幣制御部、１１Ａ……記憶部、１２……入出金部、１３……搬送部、１４……鑑別部、１５、１１５……一時保留部、１６……リジェクト庫、１７……紙幣カセット、１８……回収庫、３０……一時保留部筐体、３０Ａ……内部空間、３０Ｂ……開放部、３０Ｃ……紙幣入出孔、３１……ドラム、３２、３３……上側リール、３４、３５……上側テープ、３６……プーリシャフト、３７、３８、１３７……上側テーププーリ、４１、４２……下側リール、４３、４４……下側テープ、４８……可動搬送路、４９……固定搬送路、５０……可動ガイド、５１、１５１……可動アッパガイド、５２、１５２……可動ロアガイド、５３、１５３……搬送路、５４、１５４……紙幣入出部、５５……回動孔、５６、１５６……搬送ローラ、５７、１５７……搬送ローラ、５８、１５８……下側テーププーリ、６０……搬送ローラ、６１……フレーム、６２……前側搬送ガイド、６３……後側搬送ガイド、６４……前側噛合部、６５……後側噛合部、６６……搬送ローラ、６８……ローラ、７０……ロアガイド爪、７２……アッパガイド爪、ＲＣ……回動中心部、ＢＬ……紙幣。
【図１】
0005935512.tif 000002
【図２】
0005935512.tif 000003
【図３】
0005935512.tif 000004
【図４】
0005935512.tif 000005
【図５】
0005935512.tif 000006
【図６】
0005935512.tif 000007
【図７】
0005935512.tif 000008
【図８】
0005935512.tif 000009
【図９】
0005935512.tif 000010
【図１０】
0005935512.tif 000011